【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
所定の時間連続して供給される情報から、前記連続した時間の中で予め設定された条件を満たす情報が供給された時刻に関する付随情報を検出する情報処理装置であって、
時間的に連続して供給された前記情報を、所定の時間間隔で複数の時間的に連続する情報に分割する分割手段と、
前記分割された複数の時間的に連続する情報の、それぞれの特徴量を時間的に連続して検出する特徴量検出手段と、
前記特徴量検出手段により検出された、複数の時間的に連続する前記特徴量を、予め設定された時間だけ蓄積し、蓄積された前記特徴量と、前記特徴量検出手段により新たに検出された前記特徴量に基づいて、複数の時間的に連続する特徴量変化情報を検出する変化情報検出手段とを備え、
前記変化情報検出手段は、前記複数の時間的に連続する前記特徴量変化情報を順番に出力することで、前記供給された情報と同じく時間的に連続する前記付随情報として出力する
情報処理装置。
【請求項２】
前記変化情報検出手段により検出された、前記複数の時間的に連続する前記特徴量変化情報を、任意の時間だけ蓄積し、蓄積された前記特徴量変化情報を解析して、前記供給された情報と同じく時間的に連続する前記付随情報を検出する付随情報検出手段をさらに備える
請求項１に記載の情報処理装置。
【請求項３】
前記特徴量検出手段は、
前記分割手段により分割された複数の時間的に連続する情報を、より短い時間間隔でさらに分割して、それぞれの情報の特徴量を時間的に連続して検出する
請求項１に記載の情報処理装置。
【請求項４】
前記分割手段は、
時間的に連続して供給された前記情報を分割するとき、
分割された複数の情報において第Ｎ番目の情報と、第Ｎ＋１番目の情報のそれぞれの一部が、前記変化情報検出手段が前記特徴量を蓄積する時間に対応する時間分だけ、重複するように前記情報を分割する
請求項１に記載の情報処理装置。
【請求項５】
前記時間的に連続する情報は、動画または音声の情報であり、前記動画または音声のメタデータとして前記付随情報を検出する
請求項１に記載の情報処理装置。
【請求項６】
所定の時間連続して供給される情報から、前記連続した時間の中で予め設定された条件を満たす情報が供給された時刻に関する付随情報を検出する情報処理装置の情報処理方法であって、
時間的に連続して供給された前記情報を、所定の時間間隔で複数の時間的に連続する情報に分割し、
前記分割された複数の時間的に連続する情報の、それぞれの特徴量を時間的に連続して検出し、
前記特徴量検出手段により検出された、複数の時間的に連続する前記特徴量を、予め設定された時間だけ蓄積し、蓄積された前記特徴量と、前記特徴量検出手段により新たに検出された前記特徴量に基づいて、複数の時間的に連続する特徴量変化情報を検出するステップを含み、
前記複数の時間的に連続する前記特徴量変化情報を順番に出力することで、前記供給された情報と同じく時間的に連続する前記付随情報として出力する
情報処理方法。
【請求項７】
所定の時間連続して供給される情報から、前記連続した時間の中で予め設定された条件を満たす情報が供給された時刻に関する付随情報を検出する情報処理装置であって、
時間的に連続して供給された前記情報を、所定の時間間隔で複数の時間的に連続する情報に分割する分割手段と、
前記分割された複数の時間的に連続する情報の、それぞれの特徴量を時間的に連続して検出し、複数の時間的に連続する前記特徴量を、予め設定された時間だけ蓄積して、蓄積された前記特徴量と、新たに検出された前記特徴量に基づいて、複数の時間的に連続する特徴量変化情報を検出する変化情報検出手段と、
前記変化情報検出手段により検出された、前記複数の時間的に連続する前記特徴量変化情報を、任意の時間だけ蓄積し、蓄積された前記特徴量変化情報を解析して、前記供給された情報と同じく時間的に連続する前記付随情報を検出する付随情報検出手段と
を備える情報処理装置。
【請求項８】
前記分割手段は、
時間的に連続して供給された前記情報を分割するとき、
分割された複数の情報において第Ｎ番目の情報と、第Ｎ＋１番目の情報のそれぞれの一部が、前記変化情報検出手段が前記特徴量を蓄積する時間に対応する時間分だけ、重複するように前記情報を分割する
請求項７に記載の情報処理装置。
【請求項９】
前記時間的に連続する情報は、動画または音声の情報であり、前記動画または音声のメタデータとして前記付随情報を検出する
請求項７に記載の情報処理装置。
【請求項１０】
所定の時間連続して供給される情報から、前記連続した時間の中で予め設定された条件を満たす情報が供給された時刻に関する付随情報を検出する情報処理装置の情報処理方法であって、
時間的に連続して供給された前記情報を、所定の時間間隔で複数の時間的に連続する情報に分割し、
前記分割された複数の時間的に連続する情報の、それぞれの特徴量を時間的に連続して検出し、複数の時間的に連続する前記特徴量を、予め設定された時間だけ蓄積して、蓄積された前記特徴量と、新たに検出された前記特徴量に基づいて、複数の時間的に連続する特徴量変化情報を検出し、
前記変化情報検出手段により検出された、前記複数の時間的に連続する前記特徴量変化情報を、任意の時間だけ蓄積し、蓄積された前記特徴量変化情報を解析して、前記供給された情報と同じく時間的に連続する前記付随情報を検出するステップ
を含む情報処理方法。
【手続補正２】
【補正対象書類名】明細書
【補正対象項目名】００２６
【補正方法】変更
【補正の内容】
【００２６】
この情報処理装置は、前記変化情報検出手段により検出された、前記複数の時間的に連続する前記特徴量変化情報を、任意の時間だけ蓄積し、蓄積された前記特徴量変化情報を解析して、前記供給された情報と同じく時間的に連続する前記付随情報を検出する付随情報検出手段（例えば、図２のハイレベル検出部８０）をさらに備えるようにすることができる。
【手続補正３】
【補正対象書類名】明細書
【補正対象項目名】００２８
【補正方法】変更
【補正の内容】
【００２８】
本発明の第２の側面の情報処理装置は、所定の時間連続して供給される情報から、前記連続した時間の中で予め設定された条件を満たす情報が供給された時刻に関する付随情報（例えば、メタデータ）を検出する情報処理装置であって、時間的に連続して供給された前記情報を、所定の時間間隔で複数の時間的に連続する情報に分割する分割手段（例えば、図５のデマルチプレクサ）と、前記分割された複数の時間的に連続する情報の、それぞれの特徴量を時間的に連続して検出し、複数の時間的に連続する前記特徴量を、予め設定された時間だけ蓄積して、蓄積された前記特徴量と、新たに検出された前記特徴量に基づいて、複数の時間的に連続する特徴量変化情報（例えば、中間データ）を検出する変化情報検出手段（例えば、図１３のローレベル検出部７０）と、前記変化情報検出手段により検出された、前記複数の時間的に連続する前記特徴量変化情報を、任意の時間だけ蓄積し、蓄積された前記特徴量変化情報を解析して、前記供給された情報と同じく時間的に連続する前記付随情報を検出する付随情報検出手段（例えば、図１３のハイレベル検出部８０）とを備える。
【手続補正４】
【補正対象書類名】明細書
【補正対象項目名】００２９
【補正方法】変更
【補正の内容】
【００２９】
本発明の第２の側面の情報処理方法は、所定の時間連続して供給される情報から、前記連続した時間の中で予め設定された条件を満たす情報が供給された時刻に関する付随情報（例えば、メタデータ）を検出する情報処理装置の情報処理方法であって、時間的に連続して供給された前記情報を、所定の時間間隔で複数の時間的に連続する情報に分割し（例えば、図８のステップＳ１０の処理）、前記分割された複数の時間的に連続する情報の、それぞれの特徴量を時間的に連続して検出し、複数の時間的に連続する前記特徴量を、予め設定された時間だけ蓄積して、蓄積された前記特徴量と、新たに検出された前記特徴量に基づいて、複数の時間的に連続する特徴量変化情報（例えば、中間データ）を検出し（例えば、図８のステップＳ１１およびＳ１２の処理）、前記変化情報検出手段により検出された、前記複数の時間的に連続する前記特徴量変化情報を、任意の時間だけ蓄積し、蓄積された前記特徴量変化情報を解析して、前記供給された情報と同じく時間的に連続する前記付随情報を検出する（例えば、図８のステップＳ１３の処理）ステップを含む。
【手続補正５】
【補正対象書類名】明細書
【補正対象項目名】０１１６
【補正方法】変更
【補正の内容】
【０１１６】
【図１】従来のメタデータ抽出装置の構成例を示すブロック図である。
【図２】本発明の一実施の形態に係るメタデータ抽出装置の構成例を示すブロック図である。
【図３】ベースレベル検出器の構成例を示すブロック図である。
【図４】ローレベル検出器の構成例を示すブロック図である。
【図５】図２のローレベル検出部の構成を説明するためのブロック図である。
【図６】図５のデマルチプレクサによる入力データの供給方式を説明する図である。
【図７】ハイレベル検出器の構成例を示すブロック図である。
【図８】メタデータ抽出処理の例を説明するフローチャートである。
【図９】ベースレベル検出処理の例を説明するフローチャートである。
【図１０】ローレベル検出処理の例を説明するフローチャートである。
【図１１】ハイレベル検出処理の例を説明するフローチャートである。
【図１２】本発明の一実施の形態に係るメタデータ抽出装置の別の構成例を示すブロック図である。
【図１３】本発明の一実施の形態に係るメタデータ抽出装置のさらに別の構成例を示すブロック図である。